(57)【要約】【課題】操作が簡易で、乗り物のフレームに容器を確実に固定することができ、多様な用途を有するクロージャ装置の提供。【解決手段】乗り物１のフレーム１０に容器３を結合するクロージャ装置２であって、フレーム１０に配置されるように構成され、かつ第１の磁石要素４３Ａ，４３Ｂを有する第１のクロージャ部４と、容器３に配され、かつ第２の磁石要素５３Ａ，５３Ｂを有する第２のクロージャ部５とを備え、第２のクロージャ部５は、閉方向Ｘに第１のクロージャ部４に配置可能であり、閉位置において第１のクロージャ部５と機械的にラッチされるクロージャ装置２。クロージャ装置２において、第２のクロージャ部５は、容器３と解除可能に結合することができる。これにより、操作が簡易で、乗り物のフレームに、飲料ボトル、道具入れ、またはバッテリ用の容器など様々な容器を確実に固定することができる。【選択図】図２
2019526497.tif 000002
【特許請求の範囲】
【請求項１】
乗り物（１）、特に、二輪または三輪の乗り物のフレーム（１０）に容器（３）を結合するクロージャ装置（２）であって、
−  前記フレーム（１０）に配置されるように構成され、かつ第１の磁石要素（４３Ａ，４３Ｂ）を有する第１のクロージャ部（４）と、
−  前記容器（３）に配され、かつ第２の磁石要素（５３Ａ，５３Ｂ）を有する第２のクロージャ部（５）と、を備え、
前記第２のクロージャ部（５）は、閉方向（Ｘ）に前記第１のクロージャ部（４）に配置可能であり、閉位置において前記第１のクロージャ部（４）と機械的にラッチされるクロージャ装置（２）において、
前記第２のクロージャ部（５）は、前記容器（３）と解除可能に結合することができることを特徴とするクロージャ装置（２）。
【請求項２】
請求項１に記載のクロージャ装置（２）において、前記第２のクロージャ部（５）は、前記容器（３）のアダプタ部（６）に形状係合方式で結合可能であることを特徴とするクロージャ装置（２）。
【請求項３】
請求項１または２に記載のクロージャ装置（２）において、前記第２のクロージャ部（５）は、本体（５０）と、前記本体（５０）に調節可能、特に、回転可能に設けられた固定要素（５４）とを備え、第１位置において前記第２のクロージャ部（５）を前記容器（３）に結合するように構成されており、前記容器（３）と前記第２のクロージャ部（５）との間の前記結合を解除するように、前記第１位置から第２位置へと移動可能であることを特徴とするクロージャ装置（２）。
【請求項４】
請求項１から３のいずれか一項に記載のクロージャ装置（２）において、前記クロージャ部の一方（４）は、少なくとも１つのブロック要素（４１Ａ，４１Ｂ）を備え、前記クロージャ部の他方（５）は、少なくとも１つのロック要素（５１Ａ，５１Ｂ）を備え、前記少なくとも１つのブロック要素（４１Ａ，４１Ｂ）は、前記第２のクロージャ部（５）が、前記閉方向（Ｘ）とは反対の方向に前記第１のクロージャ部（４）に固定されるように、前記閉位置において前記ロック要素（５１Ａ，５１Ｂ）に係合することを特徴とするクロージャ装置（２）。
【請求項５】
請求項４に記載のクロージャ装置（２）において、前記少なくとも１つのロック要素（５１Ａ，５１Ｂ）は、前記閉方向に対して横方向に弾性回復力を有するように構成されていることを特徴とするクロージャ装置（２）。
【請求項６】
請求項４または５に記載のクロージャ装置（２）において、前記少なくとも１つのブロック要素（４１Ａ，４１Ｂ）は、第１のラッチ突出部（４１０）を備え、前記少なくとも１つのロック要素（５１Ａ，５１B）は、第２のラッチ突出部（５１０）を備え、前記第１のラッチ突出部（４１０）および前記第２のラッチ突出部（５１０）は、前記閉位置において、形状係合されるように互いに係合することを特徴とするクロージャ装置（２）。
【請求項７】
請求項４から６のいずれか一項に記載のクロージャ装置（２）において、前記少なくとも１つのロック要素（５１Ａ，５１Ｂ）は、前記閉方向（Ｘ）を中心としてリング状に延在しており、前記少なくとも１つのロック要素（５１Ａ，５１Ｂ）は、前記閉方向（Ｘ）を中心とした円周方向から見たとき、開口部（５１１）によって開いており、前記少なくとも１つのブロック要素（４１Ａ，４１Ｂ）は、前記クロージャ装置（２）を開くように、前記開口部（５１１）を通して移動可能であることを特徴とするクロージャ装置（２）。
【請求項８】
請求項１から７のいずれか一項に記載のクロージャ装置（２）において、前記第２のクロージャ部（５）は、前記閉方向（Ｘ）とは異なる開方向（Ｙ）に移動させることによって、前記第１のクロージャ部（４）から解除可能であることを特徴とするクロージャ装置（２）。
【請求項９】
請求項８に記載のクロージャ装置（２）において、前記開方向（Ｙ）は、前記閉方向（Ｘ）を中心とした回転方向と一致することを特徴とするクロージャ装置（２）。
【請求項１０】
請求項８または９に記載のクロージャ装置（２）において、前記クロージャ部の一方（４）はピボット（４２）を備え、前記ピボット（４２）は、前記閉位置において前記クロージャ部の他方（５）の回転開口（５４２）と係合し、前記開方向（Ｙ）に沿って回転するように前記クロージャ部（４，５）を互いに取り付けることを特徴とするクロージャ装置（２）。
【請求項１１】
請求項１から１０のいずれか一項に記載のクロージャ装置（２）において、前記第１のクロージャ部（４）は、前記閉方向（Ｘ）に対して横方向に互いに離間した２つの第１の磁石要素（４１Ａ，４１Ｂ）を備え、前記第２のクロージャ部（５）は、前記閉方向（Ｘ）に対して横方向に互いに離間した２つの磁石要素（５１Ａ，５１Ｂ）を備えることを特徴とするクロージャ装置（２）。
【請求項１２】
請求項１１に記載のクロージャ装置（２）において、各前記クロージャ部（４，５）の前記磁石要素（４１Ａ，４１Ｂ，５１Ａ，５１Ｂ）は、磁極（Ｎ，Ｓ）が反対になるように、他方のクロージャ部（５，４）に面していることを特徴とするクロージャ装置（２）。
【請求項１３】
自転車（１）に使用するための容器（３）であって、請求項１から１２のいずれか一項に記載のクロージャ装置（２）を備える容器（３）。
【請求項１４】
請求項１３に記載の容器（３）において、前記容器が、飲料ボトル、道具入れ、またはバッテリ用の容器であることを特徴とする容器（３）。
【請求項１５】
自転車（１）であって、前記自転車（１）のフレーム（１０）に容器（３）を固定する、請求項１から１２のいずれか一項に記載のクロージャ装置（２）を備える自転車（１）。
【発明の詳細な説明】
【技術分野】
【０００１】
本発明は、乗り物のフレームに容器を結合するクロージャ装置に関する。この乗り物は、特に、二輪または三輪の乗り物である。
【０００２】
上記のクロージャ装置は、フレームに配置されるように構成され、かつ第１の磁石要素を有する第１のクロージャ部と、容器に配されるように構成され、かつ第２の磁石要素を有する第２のクロージャ部とを備え、この第２のクロージャ部は、閉方向に第１のクロージャ部に配置可能であり、閉位置において第１のクロージャ部と機械的にロックされる。
上記のクロージャ装置は、例えば、自転車のフレームに飲料ボトルの形態の容器を固定するために機能することができる。
【背景技術】
【０００３】
特許文献１に開示されるクロージャの場合、締付けブラケットはフレームに固定されており、このフレームに飲料ボトルを固定するための、飲料ボトルの磁気的に活性なリングと相互作用する磁石要素を備える。
また、飲料ボトルの形態の容器を乗り物のフレームにラッチにより固定することは公知であり、この場合に、確実に結合するために磁性要素を使用することについても十分検討されている。
【０００４】
一般的に、乗り物（特に、二輪または三輪の乗り物）のフレームに容器を（例えば、飲料ボトル）固定することができるクロージャ装置は、操作が簡易なものとするべきである。この容器は、乗り物において、例えば、利用可能なスペースが限られている自転車フレームのフレーム開口部に、省スペース化して収容することができるものとするべきである。上記のクロージャ装置は、開位置において、乗り物および容器の両方において占める設置スペースが小さく、クロージャ装置のクロージャ部が邪魔にならない。また、特に、一定の使用期間の後に容器（例えば、飲料ボトルの形態の容器）を交換する必要があるということを考慮する必要もあるので、このクロージャ装置が安価となるように設計することが望ましい。
【先行技術文献】
【特許文献】
【０００５】
【特許文献１】国際出願第２０１２／１５１３２０  Ａ９
【発明の概要】
【発明が解決しようとする課題】
【０００６】
本発明の目的は、操作が簡易で、乗り物のフレームに容器を確実に固定することができ、多様な用途を有するクロージャ装置を提供することである。
【課題を解決するための手段】
【０００７】
上記目的は、請求項１の特徴を有するクロージャ装置によって達成される。
第２のクロージャ部は、適宜、前記容器と解除可能に結合することができる。
【０００８】
本発明のクロージャ装置は、全く異なる種々の容器と共にモジュール形式で使用可能である。前記第２のクロージャ部が、前記容器に解除可能に結合することができることにより、前記クロージャ装置を使用して、乗り物のフレームに、特に自転車のフレームに、様々な容器を結合することができる。前記第２のクロージャ部と前記容器との間が解除可能に結合されていることにより、特に、前記容器の交換、および、同一の型または全く異なる型とすることができる他の容器との取替えが可能である。
【０００９】
前記第２のクロージャ部は、特に、形状係合（formschluessig/positive locking）されるように、前記容器のアダプタ部に結合可能である。前記第２のクロージャ部と前記容器との間の結合を解除するためには、形状係合されたクロジャー部を取り外すことで、前記第２のクロージャ部を前記アダプタ部から外し、これによって前記容器から外すことができる。この結合において、前記アダプタ部は前記容器に固定的に結合されている。例えば、前記アダプタ部は、前記容器に溶接されているか、他の方法で前記容器に固定されているか、または前記容器に一体化されている。
【００１０】
一例では、前記第２のクロージャ部は、本体と、この本体に調節可能（特に、回転可能）に設けられた固定要素とを備える。前記固定要素は、前記第２のクロージャ部が前記容器に配置される第１位置において、前記第２のクロージャ部を前記容器に結合するという機能を果たす。前記固定要素は、この第１位置から移動させることによって、前記容器と前記第２のクロージャ部との間の結合を解除することができる。これにより、前記固定要素を調節することで、特に、前記固定要素を回転させることで、前記第２のクロージャ部を前記容器から単純な方法で外して、前記第２のクロージャ部を例えば他の容器に結合することができる。
【００１１】
容器（例えば飲料ボトル形態の容器）は、一般的に安価に入手することができ、長期間使用した後に定期的に交換する必要がある。前記第２のクロージャ部が前記容器に解除可能に結合されていることから、前記容器を交換するとき、前記クロージャ装置は交換しなくてもよい。むしろ、前記第２のクロージャ部を他の容器に結合することによって、前記クロージャ装置を再使用することが可能である。
【００１２】
前記固定要素は、例えば、手動で、または簡易な道具（例えば、ドライバーもしくはコイン等）を用いた簡易な方法で調節可能である。例えば、前記固定要素は、前記固定要素を回転させるためにコインを係合させることができるスロットを有していてもよい。
前記容器に対する結合を生じさせるために、前記固定要素は、例えばロックウェブを有していてもよく、このロックウェブは、調節（特に、回転）によって、前記容器の前記アダプタ部の側で、少なくとも１つのロック要素と形状係合で係合させることができる。
【００１３】
前記クロージャ装置の前記クロージャ部は共に閉方向に配置して、前記クロージャ装置を閉止し、前記クロージャ部を共に結合させることができる。この結合において、前記クロージャ装置の閉止は、前記クロージャ部が共に配置されたとき、前記クロージャ部が互いに磁気的に引きつけられてその閉位置に移動するように、前記クロージャ部の磁石要素によって磁気的に補助されている。
【００１４】
前記閉位置において、前記クロージャ部は互いに機械的にラッチ(verrasten/latch)され、これによって、前記クロージャ部は、荷重に耐え、かつ形状係合されるように共に保持される。このため、前記クロージャ部の一方は、例えばブロック要素（Sperrstueck/blocking piece)を備えていてもよく、前記クロージャ部の他方は、例えばロック要素（Verriegelungselement/locking element）を備えていてもよい。これらのブロック要素およびロック要素は、前記第２のクロージャ部が前記閉方向とは反対の方向に前記第１のクロージャ部に固定されるように、前記閉位置において互いに係合する。
【００１５】
前記ブロック要素は、例えば上記のようなロックピンとして実現することができ、前記ロック要素は、例えば前記閉方向に対して横方向に弾性回復力を有する構成部品として実現することができる。前記クロージャ装置が閉止されるとき、前記ブロック要素のラッチ突出部は、結果として前記ロック要素のラッチ突出部に合わさり、これにより、前記ブロック要素が前記ロック要素と形状係合されるようにスナップ係合するまで、前記ロック要素を弾性回復するように側方へ付勢する。そして、前記閉位置において、前記ブロック要素および前記ロック要素の前記ラッチ突出部が互いに係合することで、前記クロージャ部は形状係合されるように共に保持される。
【００１６】
一例では、前記ロック要素は、例えばリング状の要素として実現することができる。前記ロック要素は、例えば、開口部によって円周方向箇所において開いており、前記クロージャ装置を開放するために、この開口部を通して前記ブロック要素を移動させることができる。よって、前記ロック要素は、前記閉位置において少なくとも部分的に前記ブロック要素を包囲することで、前記ブロック要素を形状係合するように保持するＣリングを形成する。開放するためには、前記ブロック要素は、前記ロック要素の円周方向箇所に形成された前記開口部を通して移動させることができ、これにより、前記ブロック要素は前記ロック要素との係合が外れるように移動し、その結果として前記ロック要素から解除することができる。
【００１７】
前記クロージャ部を互いから解除するための前記クロージャ装置の前記開口部は、前記第２のクロージャ部が、前記第１のクロージャ部に対して、前記閉方向とは異なる開方向に移動された結果として達成することができる。前記開方向への移動によって、前記クロージャ部の間のラッチを解消することができる。これにより、前記クロージャ部を互いから解除し、結果として前記第２のクロージャ部に配された前記容器を、前記乗り物のフレームから取り外すことができる。
【００１８】
前記開方向が前記閉方向とは異なるということは、この場合、前記開方向が前記閉方向とは異なる方向を向いており、かつ、特に、前記閉方向の反対方向を向いていないという意味で理解されたい。前記開方向は、例えば前記閉方向に対して横方向に延びる平面にあり、例えば前記閉方向を中心とした回転方向とすることができる。
よって、前記クロージャ装置の閉止は、前記クロージャ部を前記閉方向に共に配置することによって実現することができる。そして、前記クロージャ装置の開放は、前記クロージャ部を互いに対して前記閉方向を中心として回転させ、このようにして前記クロージャ部の間のラッチを解消することで実現される。
【００１９】
前記クロージャ装置を開放するための操作を簡易かつスムーズなものとするために、前記クロージャ部の一方は、例えば、ピボットを備えていてもよく、このピボットは、前記閉位置において前記クロージャ部の他方の回転開口と係合し、かつ（前記閉方向を中心とした）前記開方向に沿って回転するように前記クロージャ部を共に取り付ける。よって、開放するためには、前記クロージャ部を互いに対して前記ピボットを中心として回転させることで、開き動作がガイドされる。特に、このようにすることで、開放する際に前記クロージャ部が互いに対して傾斜することを防止できる。
【００２０】
特定の例において、前記ピボットは、例えば前記第１のクロージャ部に形成することができ、前記第１のクロージャ部の本体から前記閉方向に沿って突出することができる。一方、前記回転開口は、例えば前記第２のクロージャ部において、例えば、前記第２のクロージャ部に設けられ、かつ、前記第２のクロージャ部を前記容器に解除可能に結合する前記固定要素に形成することができる。
【００２１】
一例では、前記第１のクロージャ部および前記第２のクロージャ部はそれぞれ、例えば、永久磁石によって構成される２つの磁石要素を備えていてもよい。各クロージャ部の前記磁石要素は、前記閉方向に対して横方向に互いに離間しており、前記クロージャ装置を閉じる間、また、それによりこの閉止を磁気的に補助する間、前記第１のクロージャ部の前記磁石要素は、前記第２のクロージャ部の前記磁石要素と磁気的に吸引するように相互作用する。
よって、前記クロージャ部は、配置されたときに互いに対して自動的に吸引され、これにより、有利な設計において、前記クロージャ装置の閉止は少なくともほとんど自動的に行うことができる。
【００２２】
有利な設計において、各クロージャ部の前記磁石要素は、それぞれ磁極が反対になった他方のクロージャ部に面している。よって、前記第１のクロージャ部の前記２つの磁石要素は、磁極（すなわちＮ極およびＳ極）が反対になるように、前記第２のクロージャ部を向いている。全く同様に、前記第２のクロージャ部の前記磁石要素は、磁極（すなわちＮ極およびＳ極）が反対になるように、前記第１のクロージャ部を向いている。各クロージャ部において前記磁石要素の極性が反対であることにより、前記クロージャ部がただ１つの位置にしか共に配置できないようにして、前記クロージャ部が誤って共に配置されること、また、該当する場合には、前記クロージャ部の結合が不完全になることを防止することができる。
【００２３】
自転車に使用する容器は、例えば、ボトル、バッグまたは他の容器であってもよい。前記容器は、例えば、飲料ボトル、道具入れ、またはバッテリ用の容器であってもよい。前記容器は、特に、（剛体を備える）剛性構造として、または可撓性の布帛として（例えば、撓み変形可能な本体を備えるバッグとして）もよい。
【００２４】
上記の型のクロージャ装置は、特に自転車に使用することができる。そうした自転車は、人間のペダル踏力によってまたは電気的に駆動されるものとすることができる。
下記において、本発明の根底にある構想を、図面に示された例示的な実施形態と共に、より詳細に説明する。
【図面の簡単な説明】
【００２５】
【図１】自転車の形態の乗り物の模式図である。
【図２】乗り物のフレームに容器を固定するクロージャ装置の分解図である。
【図３】上記分解図を側面図として示した図である。
【図４】同クロージャ装置のクロージャ部の図である。
【図５Ａ】第２のクロージャ部が設けられた容器の正面図である。
【図５Ｂ】図５Ａの直線Ａ−Ａに沿った断面図である。
【図６Ａ】第２のクロージャ部を容器から解除するために固定要素が回転された状態の図５Ａの正面図である。
【図６Ｂ】図６Ａの直線Ａ−Ａに沿った断面図である。
【発明を実施するための形態】
【００２６】
図１には、自転車の形態の乗り物１の模式図が示されており、乗り物１は、フレームバー１００を有するフレーム１０を備え、このフレーム１０に、クロージャ装置２によって容器３（例えば、飲料ボトル、またはバッグなどの異なる容器の形態の容器）が配置される。
【００２７】
図２から図６Ａ，図６Ｂには、乗り物１のフレーム１０に容器３を結合するクロージャ装置２の例示的な実施形態が示されている。このクロージャ装置２は、乗り物１のフレーム１０のフレームバー１００に固定的に結合、例えば、ねじ結合されるように構成された第１のクロージャ部４を備える。第２のクロージャ部５は、容器３に固定的に（ただし、この場合、下記において再度説明されるように解除可能に）結合されるように構成されており、第１のクロージャ部４上に配置することができる。容器３を、容器３に固定された第２のクロージャ部５を用いて、フレーム１０に配置された第１のクロージャ部４に取り付けることによって、乗り物１のフレーム１０に容器３を固定することができる。
【００２８】
第１のクロージャ部４は、本体４０を備え、この本体４０から２つのブロック要素４１Ａ，４１Ｂが突出している。ブロック要素４１Ａ，４１Ｂはそれぞれシャンク４１１を備え、本体４０から遠位のシャンク４１１の端部において、シャンク４１１の周囲に延在し、かつ、この場合、シャンク４１１から径方向外側に突出するラッチ突出部４１０が形成されている。
ブロック要素４１Ａ，４１Ｂから遠位の側において、本体４０は、ブロック要素４１Ａ，４１Ｂの位置に、磁石要素４３Ａ，４３Ｂが挿入されて本体４０に固定的に結合される収容開口４００Ａ，４００Ｂを備える。
【００２９】
第２のクロージャ部５は、２つのクロージャ開口５００Ａ，５００Ｂが形成された本体５０を備え、これらの各クロージャ開口に、ロック要素５１Ａ，５１Ｂが固定プレート５２Ａ，５２Ｂによって収容される。ロック要素５１Ａ，５１Ｂは、固定プレート５２Ａ，５２Ｂの固定溝５２０に収容されて固定され、隆起部として形成された磁石収容手段５２１を囲んでいる。各磁石収容手段５２１には、磁石要素５３Ａ，５３Ｂが１つ配置されている。
【００３０】
ロック要素５１Ａ，５１Ｂはリング状に形成されているが、この場合、ロック要素５１Ａ，５１ＢがＣリングとなるように、それぞれ１つの開口部５１１よって円周上で開いている。各ロック要素５１Ａ，５１Ｂは、配された固定プレート５２Ａ，５２Ｂ上に固定されて、ロック要素５１Ａ，５１Ｂが弾性回復性を有し、かつ、特に径方向に広がって、第１のクロージャ部４のブロック要素４１Ａ，４１Ｂを第２のクロージャ部５のロック要素５１Ａ，５１Ｂに係合させることができるようになっている。
【００３１】
各ロック要素５１Ａ，５１Ｂは、内側にある円周（該当する場合には、部分的に途切れている）であって、かつロック要素５１Ａ，５１Ｂの環状体５１２から径方向内側に突出しているラッチ突出部５１０を備える。クロージャ装置２が閉位置にあるとき、ロック要素５１Ａ，５１Ｂのラッチ突出部５１０は、第１のクロージャ部４のブロック要素４１Ａ，４１Ｂのラッチ突出部４１０とラッチ係合しており、これにより、クロージャ部４，５は形状係合されるように共に保持される。
【００３２】
取り付け位置において、固定プレート５２Ａ，５２Ｂによって保持されたロック要素５１Ａ，５１Ｂは、第２のクロージャ部５の本体５０のクロージャ開口５００Ａ，５００Ｂ内にある。クロージャ装置２を閉止するためには、図４に示されているように、第２のクロージャ部５を、閉方向Ｘに第１のクロージャ部４に取り付けることができる。その結果、第１のクロージャ部４のブロック要素４１Ａ，４１Ｂはクロージャ開口５００Ａ，５００Ｂに進入し、これにより第２のクロージャ部５のロック要素５１Ａ，５１Ｂに進入する。また、ブロック要素４１Ａ，４１Ｂは、同時に、ブロック要素４１Ａ，４１Ｂがロック要素５１Ａ，５１Ｂと形状係合されるようにスナップ係合するまで、ラッチ突出部４１０，５１０が互いに合わさることによってロック要素５１Ａ，５１Ｂを広げ、その結果、第２のクロージャ部５は第１のクロージャ部４に固定される。
【００３３】
閉じ動作は、磁気的に吸引するように互いに反対側に配置された磁石要素４３Ａ，４３Ｂ，５３Ａ，５３Ｂによって磁気的に補助され、これにより、クロージャ装置２の閉止は、第２のクロージャ部５を第１のクロージャ部４に近付けることによってほとんど自動的に行うことができる。
【００３４】
クロージャ装置２は、第２のクロージャ部５を第１のクロージャ部４に閉方向Ｘに配置することによって閉止される。また、クロージャ装置２は、容器３に結合された第２のクロージャ部５を第１のクロージャ部４に対して、閉方向Ｘを中心とした方向である開方向Ｙ（図４）に回転させることによって再び開放することができる。第２のクロージャ部５を第１のクロージャ部４に対して開方向Ｙに回転させるとき、ブロック要素４１Ａ，４１Ｂは、ロック要素５１Ａ，５１Ｂの開口部５１１を通って移動され、クロージャ開口５００Ａ，５００Ｂの側方に開いた側部開口部５０２Ａ，５０２Ｂを通過して、クロージャ開口５００Ａ，５００Ｂの領域外に出る。よって、クロージャ部４，５の間の確実なロック係合は解消され、第２のクロージャ部５を第１のクロージャ部４から外すことができる。
【００３５】
クロージャ部４，５を共に配置するとき、第１のクロージャ部４の本体４０から突出するピボット４２（例えば、図４を参照）は、第２のクロージャ部５の本体５０における固定要素５４の回転開口５４２へと移動して係合する。その結果、第２のクロージャ部５は、開方向Ｙに回転可能に第１のクロージャ部４に取り付けられる。第１のクロージャ部４に対する第２のクロージャ部５の開き動作はこのように案内されるので、操作が簡易となり、特に、開放時にクロージャ部４，５が傾くことが防止される。
【００３６】
図３に示されているように、各クロージャ部４，５の磁石要素４３Ａ，４３Ｂ，５３Ａ，５３Ｂは、磁極Ｎ，Ｓが反対になるように、それぞれ他方のクロージャ部５，４に面している。すなわち、第１のクロージャ部４の磁石要素４３Ａ，４３Ｂは、一方の端にＮ極Ｎ（磁石要素４３Ａ）があり、他方の端にＳ極Ｓ（磁石要素４３Ｂ）がある状態で第２のクロージャ部５に面している。また、第２のクロージャ部５の磁石要素５３Ａ，５３Ｂは、一方の端にＳ極Ｓ（磁石要素５３Ａ）があり、他方の端にＮ極Ｎ（磁石要素５３Ｂ）がある状態で第１のクロージャ部４に面している。このように極性を反対にすることにより、クロージャ部４，５はただ１つの位置にしか共に配置できないので、クロージャ装置の閉止を、ロック要素５１Ａ，５１Ｂと完全にラッチするブロック要素４１Ａ，４１Ｂを用いて容易に実現することができる。
【００３７】
クロージャ装置２を開放するとき、第２のクロージャ部５の磁石要素５３Ａ，５３Ｂも、第１のクロージャ部４の磁石要素４３Ａ，４３Ｂに対して移動される。これにより、磁石要素４３Ａ，４３Ｂ，５３Ａ，５３Ｂの間の磁気的吸引力が弱まるので、クロージャ部４，５を互いから容易に取り外すことができる。
【００３８】
第２のクロージャ部５が容器３（例えば、飲料ボトル）に固定されていることにより、容器３を、第２のクロージャ部５を用いて第１のクロージャ部４に固定し、そして乗り物１のフレーム１０に固定することができる。第２のクロージャ部５と容器３との間の結合は、この結合において（クロージャ装置２が開放された状態のとき）、第２のクロージャ部５の本体５０が容器３の本体３０における収容凹所３１に挿入され、かつ固定要素５４を用いて容器３のアダプタ部６に結合されている第２のクロージャ部５によって、解除可能である。
【００３９】
固定要素５４は、第２のクロージャ部５の本体５０の開口５０１に回転可能に収容される。この結合において、固定要素５４はヘッド５４０を備え、このヘッドから、ロックウェブ５４４が設けられたシャンク５４３が突出している。スロット５４１の形式の器具係合部は、ヘッド５４０に成形されており、例えば、第２のクロージャ部５の本体５０の開口５０１においてコインを使用することによって固定要素５４を回転させることができるように構成されている。
【００４０】
アダプタ部６は、容器３の本体３０に固定的に結合されている。このため、アダプタ部６は、収容凹所３１の固定面３１０にプレート要素６０を用いて収容され、本体３０に、例えば溶接または接着されている。係合スロット６２によって互いに離間し、それぞれ凹部６１０が形成されているロック要素６１は、プレート要素６０から突出している。
【００４１】
第２のクロージャ部５を容器３に結合するために、固定要素５４は、第２のクロージャ部５の本体５０に対して図６Ａ，図６Ｂに示されている位置に移動され、これにより、固定要素５４のシャンク５４３のロックウェブ５４４は、第２のクロージャ部５が収容凹所３１に挿入されたとき、アダプタ部６のロック要素６１の間の係合スロット６２に進入することができる。この結合において、固定要素５４は、挿入されるとピボット５４５を介して移動して、図６Ｂから分かるようにアダプタ部６の一部に接した状態となる。
【００４２】
（例えば、固定要素５０のヘッド５４０のスロット５４１に係合するコインを用いることによって）固定要素５４を回転させると、固定要素５４は、第２のクロージャ部５の本体５０の開口５０１において回転され、これにより、図５Ａおよび図５Ｂからわかるように、ロックウェブ５４４が移動して、アダプタ部６のロック要素６１内の凹部６１０と形状係合する。よって、第２のクロージャ部５は、容器３のアダプタ部６に強固かつ解除可能に固定される。
【００４３】
第２のクロージャ部５が第１のクロージャ部４に配置されると、容器３がフレーム１０に固定されることになる。
容器３は、飲料ボトルとして、器具や他の物品（例えば、バッテリ）のための収納容器として実現することができる。また、容器３はバッグ等として実現することもできる。
クロージャ装置２は、乗り物１（特に、二輪または三輪の乗り物）のフレーム１０に容器３を結合するために使用することができる。乗り物１は、人間の力によってまたは電気的に駆動される乗り物とすることができる。
【００４４】
第２のクロージャ部５が容器３に解除可能に固定されていることにより、容器３を交換することが可能であり、これにより、クロージャ装置２を全く異なる容器３と共に使用することができる。よって、容器３が他の容器と交換されるとき、第２のクロージャ部５は前の容器３から簡易な方法で解除して、第２のクロージャ部５を他の容器と結合し、クロージャ装置２を再使用することができる。
【００４５】
図示された例示的な実施形態の場合、容器３が、クロージャ部４，５を共に直接配置することで閉止され、容器３を回転させることで再び開放されるので、（例えば飲料ボトルの形態の公知の容器であって、配置または解除するためにフレームバー１００に沿って接線方向に移動させる必要がある容器と比較した場合）乗り物１において容器３を操作するために必要となるスペースが比較的小さい。また、クロージャ装置２は、フレーム１０において確実に容器３を保持し、特に、乗り物１が使用される際の機械的な衝撃に耐えることができる。
【００４６】
本発明の根底にある構想は、上述の例示的な実施形態に限定されるものではなく、全く異なる実施形態において全く異なる方法で適用することも可能である。
【符号の説明】
【００４７】
１     乗り物（自転車）
１０   フレーム
１００ フレームバー
２     クロージャ装置
３     容器（ボトル）
３０   本体
３１   収容凹所
３１０ 固定面
４     クロージャ部
４０   本体
４００Ａ，４００Ｂ   収容開口
４１Ａ，４１Ｂ       ブロック要素
４１０ ラッチ突出部
４１１ シャンク
４２   ピボット
４３Ａ，４３Ｂ       磁石要素
５     クロージャ部
５０   本体
５００Ａ，５００Ｂ   クロージャ開口
５０１ 開口
５０２Ａ，５０２Ｂ   側部開口部
５１Ａ，５１Ｂ       ロック要素
５１０ ラッチ突出部
５１１ 開口部
５１２ 環状体
５２Ａ，５２Ｂ       固定プレート
５２０ 固定溝
５２１ 磁石収容手段
５３Ａ，５３Ｂ       磁石要素
５４   固定要素
５４０ ヘッド
５４１ スロット
５４２ 回転開口
５４３ シャンク
５４４ ロックウェブ
５４５ 回動点
６     アダプタ部
６０   プレート要素
６１   ロック要素
６１０ 凹部
６２   係合スロット
Ｎ     Ｎ極
Ｓ     Ｓ極
Ｘ     閉方向
Ｙ     開方向
【図１】
2019526497.tif 000003
【図２】
2019526497.tif 000004
【図３】
2019526497.tif 000005
【図４】
2019526497.tif 000006
【図５Ａ】
2019526497.tif 000007
【図５Ｂ】
2019526497.tif 000008
【図６Ａ】
2019526497.tif 000009
【図６Ｂ】
2019526497.tif 000010
【国際調査報告】
2019526497.tif 000011
2019526497.tif 000012
2019526497.tif 000013
2019526497.tif 000014
2019526497.tif 000015
2019526497.tif 000016